(57)【要約】【課題】装飾性及び美感の優れた鏡餅用載置台を提供する。【解決手段】段ボールの板からなる鏡餅用載置台１であって、鏡餅容器Ａが載置される載置部２と、飾り部とを備えた。飾り部は、第１の飾り部材21，22と、第１の飾り部材21，22の上部に設置される第２の飾り部材31とからなる。第２の飾り部材31は、第１の飾り部材21，22に嵌合のみにより取り付けられ、第２の飾り部材31の上端は、載置部２に載置される鏡餅容器Ａの上端よりも高い位置にある。第１の飾り部材21，22と第２の飾り部材31の組み合わせによって、装飾性及び美感の優れたものとなる。【選択図】図２
2014004099.tif 000002
【特許請求の範囲】
【請求項１】
紙製又はプラスチック製の板状材料からなる鏡餅用載置台であって、鏡餅容器が載置される載置部と、飾り部とを備え、前記飾り部は、第１の飾り部材と、この第１の飾り部材の上部に設置される第２の飾り部材とからなり、前記第２の飾り部材は、前記第１の飾り部材に嵌合のみにより取り付けられるとともに、前記第２の飾り部材の上端は、前記載置部に載置される鏡餅容器の上端よりも高い位置にあることを特徴とする鏡餅用載置台。
【請求項２】
前記載置部の周辺部に壁部を備え、前記第２の飾り部材は、前記壁部の一部を切り出して形成されたことを特徴とする請求項１記載の鏡餅用載置台。
【請求項３】
前記第１の飾り部材及び前記第２の飾り部材は、前記壁部を形成する板状材料を折り曲げて前記壁部と一体に形成されたことを特徴とする請求項２記載の鏡餅用載置台。
【請求項４】
前記載置部は、前記壁部を形成する板状材料を折り曲げて前記壁部と一体に形成されたことを特徴とする請求項２又は３記載の鏡餅用載置台。
【請求項５】
前記載置部の周辺部に壁部を備え、前記第１の飾り部材は、前記壁部として設けられたことを特徴とする請求項１記載の鏡餅用載置台。
【発明の詳細な説明】
【技術分野】
【０００１】
本発明は、鏡餅を載置して飾るための鏡餅用載置台に関する。
【背景技術】
【０００２】
現在市販されている鏡餅は、鏡餅の形態を有するプラスチック容器の中に餅を入れたものが主流となっており、鏡餅の形態を有するプラスチック容器の中に直接餅を充填したタイプのものと、鏡餅の形態を有するプラスチック容器の中に個別包装された切餅又は丸餅を入れたタイプのものが知られている。そして、どちらのタイプの鏡餅においても、鏡餅の形態を有するプラスチック容器の最下部に円形又は方形のフランジ部が設けられ、そのフランジ部にプラスチックフィルムが熱溶着されることにより、プラスチック容器の中に餅が保持されるようになっている。
【０００３】
このような鏡餅としては、飾りが付属した飾り付き鏡餅が一般的に市販されている。この飾り付き鏡餅としては、三方が付属したものと、三方ではない紙製の載置台が付属したものの２種類が知られている。
【０００４】
ここで、餅を保持するために形成されたプラスチック容器のフランジ部は、決して見栄えが良いものではないが、三方が付属したものは、鏡餅の形態を有するプラスチック容器のフランジ部を三方の皿の縁部の立ち上がりにより隠すことができるため、見栄えの良くないプラスチック容器のフランジ部が見えてしまうという問題は生じにくい。
【０００５】
ところが、三方ではない載置台が付属した鏡餅では、鏡餅の見栄えをよくするために、別途プラスチック容器のフランジ部を隠すための構造を付加する必要があった。このような構造を付加したものとしては、鏡餅容器の最大径より大きい穴が開いた紙をフランジ部に被せるようにしたものが知られている（例えば、特許文献１、２）。しかし、このような構造を付加したものは、見栄えを良くするために複雑に紙を折り込んで載置台を組み立てる必要があり、組み立て作業に多くの時間がかかり、その分、製造コストがかかるという問題があった。
【０００６】
このような問題点を解決し、鏡餅容器のフランジ部が見えにくく、製造コストを削減することを目的としたものとして、１枚の紙製の板を折り曲げることにより形成され、鏡餅容器が載置される載置部と、載置部の前方に位置し鏡餅容器の下部のフランジ部を隠すための前方壁部と、載置部の後方に位置する後方壁部と、載置部の左右に位置し前方壁部と後方壁部を接続する２つの側方壁部とを備えたものが知られている（特許文献３）。
【０００７】
しかし、さらに装飾性及び美感の優れた鏡餅用載置台が求められていた。
【先行技術文献】
【特許文献】
【０００８】
【特許文献１】特開２００５−５８５８９号公報
【特許文献２】特開２００５−２１５１５号公報
【特許文献３】特開２０１２−１０７５１号公報
【発明の概要】
【発明が解決しようとする課題】
【０００９】
そこで本発明は、装飾性及び美感の優れた鏡餅用載置台を提供することを目的とする。
【課題を解決するための手段】
【００１０】
本発明の鏡餅用載置台は、紙製又はプラスチック製の板状材料からなる鏡餅用載置台であって、鏡餅容器が載置される載置部と、飾り部とを備え、前記飾り部は、第１の飾り部材と、この第１の飾り部材の上部に設置される第２の飾り部材とからなり、前記第２の飾り部材は、前記第１の飾り部材に嵌合のみにより取り付けられるとともに、前記第２の飾り部材の上端は、前記載置部に載置される鏡餅容器の上端よりも高い位置にあることを特徴とする。
【００１１】
また、前記載置部の周辺部に壁部を備え、前記第２の飾り部材は、前記壁部の一部を切り出して形成されたことを特徴とする。
【００１２】
また、前記第１の飾り部材及び前記第２の飾り部材は、前記壁部を形成する板状材料を折り曲げて前記壁部と一体に形成されたことを特徴とする。
【００１３】
また、前記載置部は、前記壁部を形成する板状材料を折り曲げて前記壁部と一体に形成されたことを特徴とする。
【００１４】
さらに、前記載置部の周辺部に壁部を備え、前記第１の飾り部材は、前記壁部として設けられたことを特徴とする。
【発明の効果】
【００１５】
本発明の鏡餅用載置台によれば、鏡餅容器が載置される載置部と、飾り部とを備え、前記飾り部は、第１の飾り部材と、この第１の飾り部材の上部に設置される第２の飾り部材とからなり、前記第２の飾り部材は、前記第１の飾り部材に嵌合のみにより取り付けられるとともに、前記第２の飾り部材の上端は、前記載置部に載置される鏡餅容器の上端よりも高い位置にあることにより、第１の飾り部材と第２の飾り部材の組み合わせによって、装飾性及び美感の優れたものとなる。また、接着剤、接着テープ等を使用することなく、簡単に第２の飾り部材を第１の飾り部材に取り付けることができるので、第２の飾り部材の取り付けに要する接着剤等の材料費、及び組み立てに要するコストを削減することができる。さらに、第２の飾り部材が高い位置にあるので、見栄えの優れたものとなる。
【００１６】
また、前記載置部の周辺部に壁部を備え、前記第２の飾り部材は、前記壁部の一部を切り出して形成されたことにより、材料費を抑えることができる。
【００１７】
また、前記第１の飾り部材及び前記第２の飾り部材は、前記壁部を形成する板状材料を折り曲げて前記壁部と一体に形成されたことにより、簡単に組み立てることができる。したがって、組み立てに要するコストを削減することができる。
【００１８】
また、前記載置部は、前記壁部を形成する板状材料を折り曲げて前記壁部と一体に形成されたことにより、簡単に組み立てることができる。したがって、組み立てに要するコストを削減することができる。
【００１９】
さらに、前記載置部の周辺部に壁部を備え、前記第１の飾り部材は、前記壁部として設けられたことにより、材料費を抑えることができる。
【図面の簡単な説明】
【００２０】
【図１】本発明の鏡餅用載置台の実施例１を示す斜視図である。
【図２】本発明の鏡餅用載置台の実施例１を示す鏡餅容器を載置した状態の前方から見た斜視図である。
【図３】本発明の鏡餅用載置台の実施例１を示す鏡餅容器を載置した状態の後方から見た斜視図である。
【図４】本発明の鏡餅用載置台の実施例２を示す前方から見た斜視図である。
【図５】本発明の鏡餅用載置台の実施例２を示す後方から見た斜視図である。
【図６】本発明の鏡餅用載置台の実施例３を示す斜視図である。
【図７】本発明の鏡餅用載置台の実施例４を示す斜視図である。
【図８】本発明の鏡餅用載置台の実施例５を示す斜視図である。
【図９】本発明の鏡餅用載置台の実施例６を示す斜視図である。
【図１０】本発明の鏡餅用載置台の実施例７を示す斜視図である。
【発明を実施するための形態】
【００２１】
以下、本発明の鏡餅用載置台の実施例について、添付図面を参照しながら説明する。
【実施例１】
【００２２】
図１〜図３を参照しながら説明する。本実施例の鏡餅用載置台１は、１枚の段ボールの板を折り曲げることにより形成されている。
【００２３】
２は、鏡餅容器Ａが載置される載置部であり、載置部２の前方には、鏡餅の下部を隠すための前方壁部３が位置している。また、載置部２の後方には、後方壁部４が位置しており、載置部２の左右には、前方壁部３と後方壁部４を接続する２つの側方壁部５，６が位置している。そして、側方壁部５，６の上端５Ａ，６Ａは、前方壁部３の上端３Ａから後方壁部４の上端４Ａに向けて斜めにせり上がっている。
【００２４】
側方壁部５，６の上端５Ａ，６Ａの一部は、段ボールの板を内側に折り込むことで形成されている。そして、側方壁部５，６には、折り込み部７，８が連設され、折り込み部７，８には、載置部２が連設されている。さらに、折り込み部７，８には、第１の飾り部21，22が連接して形成されている。また、第１の飾り部21，22の下端により、鏡餅容器Ａ下部のフランジ部Ｂが固定されるようになっている。
【００２５】
載置部２の後端２Ａには、凸部11が形成されており、凸部11は、後方壁部４の下方に形成された差し込み穴12に挿通されている。そして、載置部２は、高さ方向において、前方壁部３の下端３Ｂと上端３Ａの間に位置している。
【００２６】
後方壁部４の上方には、壁掛け用の穴13が形成されている。後方壁部４には、第２の飾り部材31が連設されており、第２の飾り部材31は、後方壁部４の一部を切り出すことによって形成されている。また、第２の飾り部材31は、後方壁部４の後方から上端４Ａの上方を経由して前方に巻くように段ボールの板を折り曲げることによって、後方壁部４の前方に設けられている。第１の飾り部材21，22の上部にはそれぞれ、円形の穴23，24が形成され、第２の飾り部材31の下部には円形の穴とこの穴から第２の飾り部材31の下端に達する直線状の切断部からなる２つの切欠き32，33が形成されている。そして、穴23，24に、それぞれ切欠き32，33を嵌合させることで、第２の飾り部材31が第１の飾り部材21，22の上部に固定されている。また、第２の飾り部材31の上端は、鏡餅容器Ａを載置部２に載置した際に、鏡餅容器Ａの上端よりも高い位置となるように設定され、第１の飾り部材21，22と第２の飾り部材31は、後方壁部４，側方壁部５，６よりも載置部２の中央部寄りに設けられている。
【００２７】
後方壁部４の右端には、接着部16が連設されており、接着部16は右の側方壁部６の後端と接着されている。また、後方壁部４の左端は左の側方壁部５の後端と、側方壁部５の前端は前方壁部３の左端と、前方壁部３の右端は右の側方壁部６の前端とそれぞれ連設している。
【００２８】
また、第１の飾り部21，22は、縦長の屏風形状となっており、門松を装った印刷がなされている。第２の飾り部31は、扇形状となっており、扇を装った印刷がなされている。また。前方壁部３，後方壁部４，側方壁部５，６にも装飾用の印刷がなされている。
【００２９】
なお、第１の飾り部材21，22は、本実施例のような門松のほか、屏風、垂れ幕等の正月等の歳時をあらわす図柄を装った印刷がなされてもよい。また、第２の飾り部材31は、本実施例のような扇のほか、橙、七福神、干支、サンタクロース等の図柄を装った印刷がなされてもよい。橙の印刷を施す場合は、図２に示されるような鏡餅容器Ａの上に載置される橙の模型を省略することができる。また、第１の飾り部材21，22、第２の飾り部材31は、印刷が施される代わりに、装飾用のシールや装飾物が貼付されてもよい。また、第１の飾り部材21，22、第２の飾り部材31の形状は、図柄に合せた形状に形成されてもよく、種々の変形実施が可能である。
【００３０】
以上のように、本実施例の鏡餅用載置台は、紙製の板状材料である段ボールの板からなる鏡餅用載置台１であって、鏡餅容器Ａが載置される載置部２と、飾り部とを備え、前記飾り部は、第１の飾り部材21，22と、この第１の飾り部材21，22の上部に設置される第２の飾り部材31とからなり、前記第２の飾り部材31は、前記第１の飾り部材21，22に嵌合のみにより取り付けらるとともに、前記第２の飾り部材の上端は、前記載置部２に載置される鏡餅容器の上端よりも高い位置にあることにより、第１の飾り部材21，22と第２の飾り部材31の組み合わせによって、装飾性及び美感の優れたものとなる。また、接着剤、接着テープ等を使用することなく、簡単に第２の飾り部材31を第１の飾り部材21，22に取り付けることができるので、第２の飾り部材31の取り付けに要する接着剤等の材料費、及び組み立てに要するコストを削減することができる。さらに、第２の飾り部材31が高い位置にあるので、見栄えの優れたものとなる。
【００３１】
また、前記載置部２の周辺部に壁部を備え、前記第２の飾り部材31は、前記壁部としての後方壁部４の一部を切り出して形成されたことにより、材料費を抑えることができる。
【００３２】
また、前記第１の飾り部材21，22は、前記壁部としての側方壁部５，６を形成する板状材料を折り曲げて前記側方壁部５，６と一体に形成されたことにより、簡単に組み立てることができる。したがって、組み立てに要するコストを削減することができる。
【００３３】
また、前記第２の飾り部材31は、前記壁部としての後方壁部４を形成する板状材料を折り曲げて前記後方壁部４と一体に形成されたことにより、簡単に組み立てることができる。したがって、組み立てに要するコストを削減することができる。
【００３４】
また、前記壁部としての前方壁部３，後方壁部４，側方壁部５，６、及び前記飾り部としての第１の飾り部材21，22、第２の飾り部材31は、装飾用の印刷がなされたことにより、装飾性及び美感を向上することができる。
【００３５】
また、前記第１の飾り部材21，22は、門松を装った印刷がなされたことにより、装飾性及び美感を向上することができる。
【００３６】
さらに、前記第２の飾り部材31は、扇を装った印刷がなされたことにより、装飾性及び美感を向上することができる。
【実施例２】
【００３７】
図４，５に基づき実施例２について説明するが、上記実施例１と同様の部分には同じ符号を付し、その詳細な説明を省略する。
【００３８】
本実施例では、第１の飾り部材21，22の上部にはそれぞれ、直線状の切欠き25，26が形成され、第２の飾り部材31の下部には２つの直線状の切欠き34，35が形成されている。そして、切欠き25，26に、それぞれ切欠き34，35を嵌合させることで、第２の飾り部材31が第１の飾り部材21，22の上部に固定されている。
【００３９】
また、第２の飾り部材31は、実施例１とは異なり、後方壁部４の上端４Ａの下方において段ボールの板を前方に折り曲げることによって、後方壁部４の前方に設けられている。
【００４０】
本実施例においても、第１の飾り部材21，22と第２の飾り部材31の組み合わせによって、装飾性及び美感の優れたものとなる。
【実施例３】
【００４１】
図６に基づき実施例３について説明するが、上記実施例１と同様の部分には同じ符号を付し、その詳細な説明を省略する。
【００４２】
本実施例では、第２の飾り部材31には第１の飾り部材21，22と嵌合するための切欠きは形成されていない。そして、第１の飾り部材21，22の上部に形成された直線状の切欠き25，26に、第２の飾り部材31の下端の両端が差し込まれて嵌合している。
【００４３】
本実施例においても、第１の飾り部材21，22と第２の飾り部材31の組み合わせによって、装飾性及び美感の優れたものとなる。
【実施例４】
【００４４】
図７に基づき実施例４について説明するが、上記実施例１と同様の部分には同じ符号を付し、その詳細な説明を省略する。
【００４５】
本実施例では、実施例１において、折り込み部７，８と連接して第１の飾り部材21，22が形成された位置に、鏡餅容器Ａ下部のフランジ部Ｂを固定するための固定部９，10が形成されている。そして、第１の飾り部材21，22は、折り込み部７，８とは別体に形成され、それぞれ側方壁部５，６を形成する段ボールを前方から後方に向かって内側に折り曲げることにより、側方壁部５，６と一体に形成されている。
【００４６】
本実施例においても、第１の飾り部材21，22と第２の飾り部材31の組み合わせによって、装飾性及び美感の優れたものとなる。
【実施例５】
【００４７】
図８に基づき実施例５について説明するが、上記実施例１、実施例４と同様の部分には同じ符号を付し、その詳細な説明を省略する。
【００４８】
本実施例では、第１の飾り部材21，22は、後方壁部４を形成する段ボールを内側に折り曲げることにより、後方壁部４と一体に形成されている。
【００４９】
本実施例においても、第１の飾り部材21，22と第２の飾り部材31の組み合わせによって、装飾性及び美感の優れたものとなる。
【実施例６】
【００５０】
図９に基づき実施例６について説明するが、上記実施例１と同様の部分には同じ符号を付し、その詳細な説明を省略する。
【００５１】
本実施例では、載置部２は、１枚の段ボールの板を折り曲げることにより形成されており、載置部２の上面には、鏡餅容器ＡのフランジＢを隠すための覆い部15が一体に形成されている。この覆い部15には、円形の開口部16が形成されており、この開口部16の下方から鏡餅容器Ａが挿入され、鏡餅容器Ａのフランジ部Ｂは載置部２と覆い部15の間に配置されるようになっている。
【００５２】
また、後方壁部４、側方壁部５，６、第１の飾り部材21，22は、載置部２を形成する段ボールの板とは別の、１枚の段ボールの板を折り曲げることにより形成されている。そして、側方壁部５，６の下端に連接して設けられた挿入部（図示せず）を載置部２と覆い部15の間に差し込むことにより、載置部２に側方壁部５，６が固定されている。また、後方壁部４の下端には、載置部２の後端に当接する当接部17が形成されており、後方壁部４の位置ずれが防止されるようになっている。
【００５３】
さらに、上記とは別の１枚の段ボールの板により、第２の飾り部材31が形成されており、第２の飾り部材31は、第１の飾り部材21，22の上部に嵌合されている。
【００５４】
本実施例においても、第１の飾り部材21，22と第２の飾り部材31の組み合わせによって、装飾性及び美感の優れたものとなる。
【実施例７】
【００５５】
図１０に基づき実施例７について説明するが、上記実施例６と同様の部分には同じ符号を付し、その詳細な説明を省略する。
【００５６】
本実施例では、第１の飾り部材27は、壁部４として設けられている。すなわち、第１の飾り部材27は、壁部４と共通になっている。そして、第１の飾り部材27に形成された切欠き28に、第２の飾り部材31の下部に形成された挿入片36が嵌合されて、第１の飾り部材21の上部に第２の飾り部材31が設置されている。
【００５７】
以上のように、本実施例の鏡餅用載置台は、紙製の板状材料である段ボールの板からなる鏡餅用載置台１であって、鏡餅容器Ａが載置される載置部２と、飾り部とを備え、前記飾り部は、第１の飾り部材27と、この第１の飾り部材27の上部に設置される第２の飾り部材31とからなり、前記第２の飾り部材31は、前記第１の飾り部材27に嵌合のみにより取り付けらるとともに、前記第２の飾り部材の上端は、前記載置部２に載置される鏡餅容器の上端よりも高い位置にあることにより、第１の飾り部材27と第２の飾り部材31の組み合わせによって、装飾性及び美感の優れたものとなる。また、接着剤、接着テープ等を使用することなく、簡単に第２の飾り部材31を第１の飾り部材27に取り付けることができるので、第２の飾り部材31の取り付けに要する接着剤等の材料費、及び組み立てに要するコストを削減することができる。さらに、第２の飾り部材31が高い位置にあるので、見栄えの優れたものとなる。
【００５８】
また、前記載置部２の周辺部に壁部４を備え、前記第１の飾り部材27は、前記壁部４として配置されたことにより、材料費を抑えることができる。
【００５９】
なお、本発明は上記各実施例に限定されるものではなく、種々の変形実施が可能である。例えば、壁部を省略したものとしてもよい。
【符号の説明】
【００６０】
１  鏡餅用載置台
２  載置部
４  後方壁部（壁部）
５，６  側方壁部（壁部）
21，22，27  第１の飾り部材（飾り部）
31  第２の飾り部材（飾り部）
Ａ  鏡餅容器
【図１】
2014004099.tif 000003
【図２】
2014004099.tif 000004
【図３】
2014004099.tif 000005
【図４】
2014004099.tif 000006
【図５】
2014004099.tif 000007
【図６】
2014004099.tif 000008
【図７】
2014004099.tif 000009
【図８】
2014004099.tif 000010
【図９】
2014004099.tif 000011
【図１０】
2014004099.tif 000012